(57)【特許請求の範囲】
【請求項１】
プラント機器からのプロセスデータ、警報ログデータ及び補機動作ログデータを運転員に表示し、運転員の操作指令を受け付ける操作コンソールと、
前記プラント機器からのプロセスデータ、警報ログデータ、補機動作ログデータ及び運転員の操作指令を取得して、前記プラント機器を制御する制御装置と、
前記プロセスデータ、警報ログデータ、補機動作ログデータ及び運転員の操作指令を取得して時系列的に記憶装置に格納するデータ処理装置と、
を備えるプラント監視制御装置において、
前記プロセスデータ、警報ログデータ、補機動作ログデータ及び運転員の操作指令の内の特定のデータ同士を、所定の事象ごとに予め関係付けて登録された事象データ関係付け情報と、
前記取得されたプロセスデータ、警報ログデータ及び補機動作ログデータの中から操作者によって選択された１つのデータにもとづいて、操作者が特定の事象を選択可能とする分析事象選択手段と、
前記操作者によって選択された１つのデータから前記選択された特定の事象の発生に係るキー時刻情報を取得するキー時刻情報取得手段と、
前記事象データ関係付け情報にもとづいて前記選択された特定の事象に関係付けられた前記プロセスデータ、警報ログデータ、補機動作ログデータ及び運転の操作指令を事象関連データとして検索する事象関連データ検索手段と、を有し、
前記取得されたキー時刻情報にもとづいて、前記検索された時系列の事象関連データの内の所定の時間範囲のものを操作コンソールに組み合わせ表示することを特徴とするプラント監視制御装置。
【請求項２】
前記事象データ関係付け情報は、少なくとも前記プロセスデータ、警報ログデータ、補機動作ログデータ及び運転の操作指令のそれぞれのデータ名と前記事象の名称を含んでおり、前記事象の名称ごとに、前記事象関連データとして前記プロセスデータ、警報ログデータ、補機動作ログデータ及び運転の操作指令の一部のデータ名を関係付けていることを特徴とする請求項１に記載のプラント監視制御装置。
【請求項３】
プラント機器からのプロセスデータ、警報ログデータ及び補機動作ログデータを運転員に表示し、運転員の操作指令を受け付ける操作コンソールと、
前記プラント機器からのプロセスデータ、警報ログデータ、補機動作ログデータ及び運転員の操作指令を取得して、前記プラント機器を制御する制御装置と、
前記プロセスデータ、警報ログデータ、補機動作ログデータ及び運転員の操作指令を取得して時系列的に記憶装置に格納するデータ処理装置と、
を備えるプラント監視制御装置における事象分析支援方法であって、
予め登録された事象データ関係付け情報によって、前記プロセスデータ、警報ログデータ、補機動作ログデータ及び運転員の操作指令の内の特定のデータ同士を、所定の事象ごとに予め関係付けて、
操作者が特定の事象を選択可能とする事象選択手段によって、前記取得されたプロセスデータ、警報ログデータ及び補機動作ログデータの中から操作者によって選択された１つのデータにもとづいて、特定の事象を選択し、
前記操作者によって選択された１つのデータから前記選択された特定の事象の発生に係るキー時刻情報を取得し、
前記事象データ関係付け情報にもとづいて前記選択された特定の事象に関係付けられた前記プロセスデータ、警報ログデータ、補機動作ログデータ及び運転の操作指令を事象関連データとして検索し、
更に、前記取得されたキー時刻情報にもとづいて、時系列の前記事象関連データの内の所定の時間範囲のものを操作コンソールに組み合わせ表示することを特徴とするプラント監視制御装置における事象分析支援方法。
【発明の詳細な説明】
【技術分野】
【０００１】
本発明は、プラント監視制御装置に関し、特に、プラント機器からプロセスデータ、警報ログデータ、補機動作ログデータや、操作コンソールからの運転員の操作指令を取得し、異常等があった場合の事象分析に効果のあるプラント監視制御装置及び事象分析支援方法に関する。
【背景技術】
【０００２】
運転員がプラント機器を操作コンソールから手動操作を行ったり、監視したりするプラント監視制御装置には、プラント機器からのプロセスデータ、警報ログデータ、補機動作ログデータ及び操作指令を時系列的に記録したり、表示装置に表示する機能が一般的に備えられている。
【０００３】
ところで、特許文献１には、イベント記録を発生時刻によるトレンド表示、発生種別で分類した表示及び発生元で分類した表示の３種類の表示を同時に表示し、この表示画面で更に絞り込みができるようにする技術が開示されている。また、操作要求量と操作量の変化の両方を同時に表示し、その変化の様子からプラントの操業状況および対応策を推定するようにする技術が開示されている。そして、これにより、イベント記録から効率的に問題点を抽出でき、また検討すべき対応策を得ることができるとしている。
【特許文献１】特開２００１−０８４０３４号公報
【発明の開示】
【発明が解決しようとする課題】
【０００４】
しかしながら、最終的にプラントの事故や異常動作等の事象を分析するには、記録された警報ログデータや補機動作ログデータをもとに、その事象が発生した時刻の近傍における、その事象に関連するプロセスデータの種類や操作指令（オペレーションログ）、警報ログデータ、補機動作ログデータを検索して、原因を特定する作業が必要となる。
ところで、プラントの運転監視を行う運転員は、必ずしも、プラント機器の制御ロジックや警報ロジック、補機動作ロジックに通じた技術者ではないので、ある事象の原因追求をするために、その事象に関係すると思われるプロセスデータの種類や警報ログの種類や、補機動作ログの種類を選択するにはプラントの制御システム全般及び、警報ロジック、補機動作ロジック等の詳細な専門的知識や、過去の事故や異常動作時の事象における原因を考察した経験を有する技術者が別途必要であった。
【０００５】
また、プロセスデータ、警報ログデータ、補機動作ログデータ、オペレーションログデータから分析対象の事象に関係するデータを検索するにも、各プラントの監視制御ソフトが異なると、同じデータでも異なる変数名で定義されていることがあるので、データを検索する上で監視制御ソフトの仕様書に対する知識も必要となる。
【０００６】
そこで、本発明の目的は、事故や異常動作等の事象を分析し易く表示できるプラント監視制御装置及びプラント監視制御装置における事象分析支援方法を提供することにある。
【課題を解決するための手段】
【０００７】
前記した目的を達成するため、本願の発明は、プラント機器からのプロセスデータ、警報ログデータ及び補機動作ログデータを運転員に表示し、運転員の操作指令を受け付ける操作コンソールと、プラント機器からのプロセスデータ、警報ログデータ、補機動作ログデータ及び運転員の操作指令を取得して、プラント機器を制御する制御装置と、プロセスデータ、警報ログデータ、補機動作ログデータ及び運転員の操作指令を取得して時系列的に記憶装置に格納するデータ処理装置と、を備えるプラント監視制御装置において、
プロセスデータ、警報ログデータ、補機動作ログデータ及び運転員の操作指令の内の特定のデータ同士を、所定の事象ごとに予め関係付けて登録された事象データ関係付け情報と、取得されたプロセスデータ、警報ログデータ及び補機動作ログデータの中から操作者によって選択された１つのデータにもとづいて、操作者が特定の事象を選択可能とする分析事象選択手段と、操作者によって選択された１つのデータから選択された特定の事象の発生に係るキー時刻情報を取得するキー時刻情報取得手段と、事象データ関係付け情報にもとづいて選択された特定の事象に関係付けられたプロセスデータ、警報ログデータ、補機動作ログデータ及び運転の操作指令を事象関連データとして検索する事象関連データ検索手段と、を有し、取得されたキー時刻情報にもとづいて、検索された時系列の事象関連データの内の所定の時間範囲のものを操作コンソールに組み合わせ表示することを特徴とする。
【０００８】
本発明によれば、取得されたプロセスデータ、警報ログデータ及び補機動作ログデータの中から操作者によって選択された１つのデータにもとづいて、操作者が特定の事象を選択すると、事象データ関係付け情報にもとづいて事象関連データ検索手段により、プロセスデータ、警報ログデータ及び補機動作ログデータ、運転員の操作指令の内の、前記選択された特定の事象に関連する特定のデータが検索され、更に、キー時刻情報にもとづいて所定の時間範囲のものが、操作コンソールに組み合わせ表示される。
【０００９】
このように、事象関連データを容易に検索でき、キー時刻情報にもとづいて表示するので、操作者が選択した事象に対する事象関連データを、プラントの制御システム全般、警報ロジック、補機動作ロジック等の詳細な専門的知識や、過去の事故や異常動作時の事象における原因を考察した経験を豊富に有する技術者でなくとも迅速に表示させて、分析しようとしている事象の原因を見つけやすくすることができる。
なお、本発明は、プラント監視制御装置における事象分析支援方法を含む。
【発明の効果】
【００１０】
本発明によれば、事故や異常動作等の事象を分析し易く表示できるプラント監視制御装置及びプラント監視制御装置における事象分析支援方法を提供することができる。
【発明を実施するための最良の形態】
【００１１】
次に、本発明の好適な実施形態であるプラント監視制御装置が火力発電プラントに適用された場合の火力発電プラントの構成について、図１を参照しながら説明する。
図１は火力発電プラントの主要系統図である。
《火力発電プラントの例》
ここで火力発電プラントの例としてボイラ起動系統にフラッシュタンクを備え、火力発電プラント起動時にフラッシュタンクの発生蒸気を高圧ヒータへ供給して熱回収する火力発電プラント１００を用いて説明する。
蒸発器２、１次過熱器３Ａ、２次過熱器３Ｂ、３次過熱器３Ｃ、再熱器４を含むボイラ１にフラッシュタンク１６が設けられている。
ボイラ１には、燃料及び空気をボイラ１内に噴射するバーナ１０４が設けられ、バーナ１０４には、燃料供給ライン１１７と空気供給ライン１１８が接続されている。燃料供給ライン１１７には、燃料量調節弁１１９と燃料流量計１２０が設けられ、空気供給ライン１１８には、空気量調節弁１２１が設けられている。
ボイラ１には、１次過熱器３Ａの出口蒸気温度ＳＴ１を測定する温度計１０８（図１中では、ＳＴ１：１０８と表示）と、２次過熱器３Ｂの出口蒸気温度ＳＴ２を測定する温度計１０９（図１中では、ＳＴ２：１０９と表示）が設けられている。
【００１２】
通常運転時には、ボイラ１の蒸発器２で発生させた蒸気を、１次過熱器３Ａ、２次過熱器３Ｂ、３次過熱器３Ｃの順に通過させて過熱蒸気を生成し、３次過熱器３Ｃ出口を出た過熱蒸気は、まず、蒸気供給ライン１０５Ａで高圧タービン５Ａに供給され、高圧タービン５Ａを駆動し、ボイラ１の再熱器４で再加熱された後、蒸気供給ライン１０５Ｂで中圧タービン５Ｂに供給され、中圧タービン５Ｂを駆動し、更に、低圧タービン５Ｃを駆動して復水器７にダンプされる。高圧タービン５Ａ、中圧タービン５Ｂ、低圧タービン５Ｃは、一軸に連結されており、発電機６を駆動して発電する。復水器７にダンプされた蒸気は復水器７において、図示省略の海水ポンプで循環された海水により冷却されて水に戻り、復水ポンプ８Ａ、復水脱塩装置４１、昇圧復水ポンプ８Ｂ、復水流量計４５を経て、低圧ヒータ９（低圧給水加熱器とも称する）に送られる。
【００１３】
そして、低圧ヒータ９で加熱された復水は、脱気器１０を経た後に給水ポンプ１１により昇圧されて、図１では３段の高圧ヒータ１４，１３，１２（高圧給水加熱器とも称する）の順に加熱されて給水ライン２３によりボイラ１の蒸発器２に戻る。
蒸気供給ライン１０５Ａには、主蒸気圧力Ｐを計測する圧力計１０６と、主蒸気温度Ｔを計測する温度計１０７と、高圧タービン５Ａへの蒸気供給量を調整するタービン加減弁１１３が設けられている。給水ライン２３には、給水温度ＦＷＴを計測する給水温度計１１５と、給水流量を計測する給水流量計１１６が設けられている。
【００１４】
ちなみに、高圧タービン５Ａへの蒸気供給ライン１０５Ａのタービン加減弁１１３の下流側と再熱器４から中圧タービン５Ｂへの蒸気供給ライン１０５Ｂには、タービン負荷喪失等の異常時にタービンの過回転を防止するために、それぞれタービン止弁３３、再熱蒸気止弁３９が設けられている。
【００１５】
低圧ヒータ９には、低圧タービン５Ｃからタービン抽気管１５Ｅにより抽気された蒸気が加熱源として胴部に導かれ、低圧ヒータ９内の多数の加熱管内の復水を加熱後、凝縮水（ドレン水）となり、ドレン配管２７Ｅで復水器７に戻る。タービン抽気管１５Ｅには、抽気量を制御するタービン抽気弁２４Ｅと、低圧ヒータ９からの逆流を防止する抽気逆止弁３５Ｅが設けられている。また、低圧ヒータ９の胴側には、ドレン水位を検出する水位センサを含み、低圧ヒータ９の胴側のドレン水の水位を調整する低圧ヒータ水位調整器２５Ｅ（図１中では、ＬＣ２５Ｅで示す）が設けられ、ドレン配管２７Ｅに配置された低圧ヒータ水位調整弁２６Ｅの開度を調整して、前記水位を制御する。また、低圧ヒータ９の胴側の気相部から復水器７へは、非凝縮性ガスを抽出する目的で、オリフィスを介設させてベント管３１Ｃが配管されている。
なお、低圧ヒータ９の復水入口側と復水出口側とは、低圧ヒータバイパス弁３７を有するバイパス配管３４により接続されている。
【００１６】
高圧ヒータ１２，１３，１４及び脱気器１０には、給水・復水昇温のために、高圧タービン５Ａ、中圧タービン５Ｂからタービン抽気が、それぞれタービン抽気管１５Ａ，１５Ｂ，１５Ｃ，１５Ｄ及びタービン抽気弁２４Ａ，２４Ｂ，２４Ｃ，２４Ｄを介して供給される。タービン抽気管１５Ａ，１５Ｂ，１５Ｃ，１５Ｄには、それぞれ高圧ヒータ１２，１３，１４及び脱気器１０からの逆流を防止する抽気逆止弁３５Ａ，３５Ｂ，３５Ｃ，３５Ｄが設けられている。また、不凝縮性ガスを抽出する目的で高圧ヒータ１２，１３，１４の胴部側の気相部と脱気器１０との間には、それぞれ、ベント管３１Ａが、オリフィスを介設させて配管されている。更に、脱気器１０の気相部から復水器７へは、非凝縮性ガスを抽出する目的で、オリフィスを介設させてベント管３１Ｂが配管されている。
【００１７】
高圧ヒータ１２，１３，１４の胴部側に導入されたタービン抽気は、多数の加熱管内を通る給水との熱交換により、凝縮されドレン水となる。このドレン水は、水位センサを含む高圧ヒータ水位調整器２５Ａ，２５Ｂ，２５Ｃ（図１中では、ＬＣ２５Ａ，ＬＣ２５Ｂ，ＬＣ２５Ｃと表示）と、高圧ヒータ水位調整弁２６Ａ，２６Ｂ，２６Ｃで水位制御され、ドレン配管２７Ａ，２７Ｂ，２７Ｃを通り、順次ドレン水が排出され、脱気器１０に回収される。
【００１８】
一般に、火力発電プラントにおいては、系統内における復水、給水、ボイラ水及び蒸気の水質の調整、処理を行って系統内の腐食を最小限にするとともに、ボイラ水管、蒸発管及びタービンへのスケール付着防止が行われている。ここで、ボイラ１が貫流タイプの場合には、復水、給水系統にアンモニア及びヒドラジンの揮発性薬品を注入する揮発性物質処理が行われている。この処理は、アンモニアにより鉄の溶解度が最も減少するｐＨ値の９．０〜９．５に維持するとともに脱気器１０及びヒドラジンにより脱酸素を行うものであり、系統内を還元性の環境とすることにより防食が図られている。
【００１９】
近年においては復水と給水系統へ微量のアンモニア及び酸素を注入する複合中性水処理法が採用されている。この複合中性水処理法は、系統内をアンモニアで弱アルカリ（ｐＨ８．５前後）とし、かつ酸素を数百ｐｐｂ注入することにより、系統内をマグネタイトスケールよりも溶解度が小さく、かつ粒子が細かくて平滑に付着成長するヘマタイトスケール（Ｆｅ２Ｏ３）に変えて、プラント系統内の差圧上昇とスケール付着に起因するボイラ伝熱管の破損等を大幅に低減させるものである。
【００２０】
復水脱塩装置４１では、復水中の酸化鉄等懸濁固形物や塩素イオン等の溶解性物質が除去され、系統の純水化が行われ、脱気器１０では中圧タービン５Ｂから抽出された抽気が加熱蒸気として復水に対して接触させられ、復水に含まれる酸素等はベント管３１Ｂを経て復水器７に送られ、そこから系外に放出される。一方、脱気器１０で脱気された復水は脱気器貯水タンク１０ａに貯溜され、給水ポンプ１１により高圧ヒータ１４，１３，１２を経てボイラ１に供給される。復水脱塩装置４１の出口側には復水脱塩装置出口酸素注入ライン４２が接続されており、この復水脱塩装置出口酸素注入ライン４２を介して復水中にアンモニアと酸素が注入され、さらに給水系統においても脱気器貯水タンク１０ａの出口側に脱気器出口酸素注入ライン４３が接続され、この脱気器出口酸素注入ライン４３を介して給水中に再度酸素を注入するようにしてある。すなわち、復水系統に注入された酸素は脱気器１０で系外に除去されるため、脱気器１０の出口において再度酸素の注入が行われる。そして、復水系統では、上記復水脱塩装置出口酸素注入ライン４２から復水流量に対する比例注入を行い、給水系統ではボイラ入口給水中の酸素濃度と給水流量にもとづいて酸素注入量を制御し、給水中の酸素濃度が所定値になるように調整し、復水、給水系統の防食を図るようにしてある。
【００２１】
火力発電所起動時においては、１次過熱器３Ａの出口より過熱器止弁１７をバイパスし、フラッシュタンク入口弁１８を通り、フラッシュタンク１６に給水を導き、蒸気を発生させる。フラッシュタンク１６にて発生した蒸気は、極力サイクル内へ熱回収し火力発電所起動時の熱効率向上を図るため、過熱器通気弁１９，フラッシュタンクドレン弁３２及びフラッシュタンク蒸気熱回収弁２０にてフラッシュタンク１６の圧力を制御し、フラッシュタンク蒸気管２２及びフラッシュタンク蒸気止弁２１を通り、上段の高圧ヒータ１２に導入される。そしてこの導入された蒸気は、給水との熱交換により凝縮されドレン水となる。
【００２２】
このドレン水は、後段の高圧ヒータ水位調整器２５Ａと高圧ヒータ水位調整弁２６Ａにて高圧ヒータ１２の水位が制御され、ドレン配管２７Ａを通り、下段および最下段の高圧ヒータ１３，１４へ順次ドレン水が排出され脱気器１０に回収される。
【００２３】
フラッシュタンク１６から上段の高圧ヒータ１２に至るフラッシュタンク蒸気管２２の部分に、このフラッシュタンク蒸気管２２より分岐され、他段の高圧ヒータ、すなわち下段及び最下段の高圧ヒータ１３，１４と連通するフラッシュタンク蒸気連通管２８が設けられている。このフラッシュタンク蒸気連通管２８が設けられることにより、火力発電プラント１００起動過程における発生蒸気は下段及び最下段の高圧ヒータ１３，１４にも加熱蒸気として分配され、下段および最下段の高圧ヒータ１３，１４の水位が制御される。
【００２４】
そのため、フラッシュタンク蒸気連通管２８の部分に高圧ヒータ１３，１４への圧力を調整する圧力調整器３０Ａ，３０Ｂ（図１中では、ＰＣ３０Ａ，ＰＣ３０Ｂと表示）を設ける。すなわち、フラッシュタンク蒸気連通管２８に設けられた圧力調整器３０Ａ，３０Ｂは、フラッシュタンク発生蒸気を上段の高圧ヒータ１２に熱回収する際、フラッシュタンク蒸気熱回収弁２０が開の条件で、規定圧力（この規定圧力とは、タービン起動後、タービン抽気が高圧ヒータ１２，１３，１４に導入され、所定の水位制御が可能となる下段及び最下段の高圧ヒータ１３，１４の器内圧力である。）になる弁開度指令信号をフラッシュタンク蒸気連通管２８に設けた圧力調整弁２９Ａ，２９Ｂへ出力し、フラッシュタンク発生蒸気（加熱蒸気）の導入量を制御することにより、下段および最下段の高圧ヒータ１３，１４の器内圧力を負圧状態（低い圧力状態）から所定の水位に制御し得る規定圧力まで上昇させる。
【００２５】
このような火力発電所におけるフラッシュタンク１６からの蒸気を用いた起動時の制御方法は、特開平１０−３１７９１６号公報に開示されており、公知の技術であり、ここではこれ以上の詳細な説明は省略する。
【００２６】
また、負荷要求指令と発電機６の出力信号との偏差信号にもとづき、１次過熱器３Ａの出口蒸気温度ＳＴ１、２次過熱器３Ｂの出口蒸気温度ＳＴ２、主蒸気温度Ｔ、主蒸気圧力Ｐ、給水温度ＦＷＴ、給水流量等から燃料量調節弁１１９及び空気量調節弁１２１の開度、給水ポンプ１１の回転速度、タービン加減弁１１３の開度等を制御して負荷要求指令に高速に追随する先行制御の方法が特開平９−２５０７０２号公報等に記載され公知である。
【００２７】
更に、復水及び給水中のアンモニア濃度及び酸素濃度の制御方法については、特開平９-１２６４１０号公報に記載された公知の技術であり、詳細な説明は省略する。
【００２８】
（プラント監視制御装置）
次に、本発明に係るプラント監視制御装置について説明する。
図２は、本発明に係るプラント監視制御装置の構成図である。プラント監視制御装置２００は、大きくは操作コンソール２０１と、データ処理装置２０３と、ＬＡＮ２０５と、制御装置２０７を含んでなる。
【００２９】
操作コンソール２０１は、プラント機器５０１の動作状態を示すプロセスデータや、警報ログや、補機動作ログ等を監視したり、その入力手段から手動操作指令（オペレーションログ）を入力して制御装置２０７を介してプラント機器５０１を制御したりする機能と、データ処理装置２０３のデータ記憶処理の設定をする機能と、を有する監視制御コンソール部２０１ａと、事故や異常な動作等の事象が生じた場合の事象を分析するためにプロセスデータや、警報ログや、補機動作ログ、オペレーションログ等のデータを表示させ、事象分析を支援する機能を有する事象分析コンソール部２０１ｂからなる。
ここで、プラント機器５０１は、図１に示した各構成要素の総称である。
【００３０】
監視制御コンソール部２０１ａは、複数の表示装置２１２Ａ，２１２Ｂ，２１２Ｃと、入力手段である、例えば、キーボード２１３及びマウス２１４と、複数の表示装置２１２Ａ，２１２Ｂ，２１２Ｃの表示制御等をする、例えば、パーソナルコンピュータ又はエンジニアリングコンピュータの本体で構成されたコンソール制御部２１１Ａとを含んでいる。
そして、運転員は、複数の表示装置２１２Ａ，２１２Ｂ，２１２Ｃを見て、プラントを監視制御する。
事象分析コンソール部２０１ｂは、表示装置２１２Ｄと、入力手段である、例えば、キーボード２１３及びマウス２１４と表示装置２１２Ｄの表示制御等をする、例えば、パーソナルコンピュータ又はエンジニアリングコンピュータの本体で構成されたコンソール制御部２１１Ｂとを含んでいる。
【００３１】
コンソール制御部２１１Ａは、ＬＡＮ２０５に接続しており、表示制御のための監視制御操作プログラムをその図示しない内部記憶装置に格納している。コンソール制御部２１１Ａは、データ処理装置２０３の各記憶装置２２１Ａ〜２２１Ｄのアドレス、各記憶装置２２１Ａ〜２２１Ｄに記憶されている各種データを読み出すためのアドレスやデータの識別符号等をもコンソール制御部２１１Ａの内部記憶装置に格納しており、データ処理装置２０３から時系列データを読み出して表示装置２１２Ａ〜２１２Ｃに表示させる。
なお、後記する系統図表示のテンプレートについては、コンソール制御部２１１Ａの内部記憶装置に格納されている。
【００３２】
事故又は異常な動作のような事象を分析する操作者は、事象分析コンソール部２０１ｂの入力手段であるキーボード２１３及びマウス２１４を操作して、必要なデータを表示装置２１２Ｄに表示させて、事象を分析する。
コンソール制御部２１１Ｂは、ＬＡＮ２０５に接続しており、事象分析のためのデータをデータ処理装置２０３に検索させて所要のデータを取得したり、取得したデータを表示制御したりするための事象分析支援プログラムをその図示しない内部記憶装置に格納している。また、コンソール制御部２１１Ｂは、データ処理装置２０３の各記憶装置２２１Ａ〜２２１Ｄのアドレス、各記憶装置２２１Ａ〜２２１Ｄに記憶されている各種データを読み出すためのアドレスや識別符号等をも内部記憶装置に格納している。
なお、コンソール制御部２１１Ｂの内部記憶装置は、後記する事象データ関係付け情報や、後記するデータディレクトリ、後記するロジック図のテンプレートをも格納している。
【００３３】
ここで、データディレクトリとは、プロセスデータ及び各種ログデータの具体的なデータ名、データ名に対応したデータを識別するためのデータ名識別符号、そのデータが属する系統名（属性）、系統名に対応した系統名識別符号、そのデータが対応する具体的なプラント機器の識別コード等を個々のプロセスデータやログデータに対して関係付けたもので、操作者が任意のプロセスデータやログデータを表示させたり、前記事象データ関係付け情報を更新するためにデータのデータ名識別符号を検索したりするために用いられるものである。
【００３４】
ここで、ロジック図のテンプレートとは、コンソール制御部２１１Ｂの内部記憶装置に予め登録された、例えば、図１６に示すような警報ロジック図や制御ロジック図のグラフィカルテンプレートであり、警報ロジックや制御ロジックの入出力になっているプロセスデータやログデータと関係付けられて、後記する事象分析支援画面においてウインド表示可能になっている。
事象データ関係付け情報、ロジック図のテンプレートについては後で詳細に説明する。
【００３５】
データ処理装置２０３は、ＬＡＮ２０５にＩ／Ｏインタフェース２０３ａを介して接続するデータサーバであり、例えば、プラント機器５０１から制御装置２０７、ＬＡＮ２０５を介して取得した各種データや、監視制御コンソール部２０１ａからＬＡＮ２０５を介して取得したデータを、データの種類毎に分けて時系列的に記憶する記憶装置２２１Ａ，２２１Ｂ，２２１Ｃ，２２１Ｄを有している。
例えば、記憶装置２２１Ａは、監視制御コンソール部２０１ａから入力された操作指令をオペレーションログデータとして時系列的に記憶する。記憶装置２２１Ｂは、プラント機器５０１からの各種プロセスデータを時系列的にヒストリカルトレンドデータとして記憶する。各種プロセスデータの中には、後記する制御装置２０７における制御データも含む。
制御記憶装置２２１Ｃは、プラント機器５０１からの補機動作ログ（例えば、補機のオン、オフ動作記録）を補機動作ログデータとして時系列的に記憶する。記憶装置２２１Ｄは、プラント機器５０１からの警報ログを警報ログデータとして時系列的に記憶する。
【００３６】
制御装置２０７は、プロセスコンピュータから構成され、Ｉ／Ｏインタフェース２０７ａを介して信号線によりプラント機器５０１と接続し、Ｉ／Ｏインタフェース２０７ａから入力された信号はプロセス入出力処理部２２４において、プラント機器５０１からのプロセスデータやログデータの内、制御対象のプラント機器５０１の制御に必要なデータを制御演算処理部２２３に送ったり、プラントの監視や事故や異常な動作の事象分析に必要な所定のデータを、Ｉ／Ｏインタフェース２０７ｂ及びＬＡＮ２０５を介して監視制御コンソール部２０１ａに送ったり、時系列的にデータ記憶のためにデータ処理装置２０３に送ったりする。
【００３７】
制御演算処理部２２３は、監視制御コンソール部２０１ａから入力された操作指令をＬＡＮ２０５、Ｉ／Ｏインタフェース２０７ｂを介して取得し、前記した制御対象のプラント機器５０１の制御に必要なデータと操作指令にもとづいて制御演算処理した結果（制御データ）をプロセス入出力処理部２２４、Ｉ／Ｏインタフェース２０７ａを介してプランと機器５０１に出力して制御するとともに、出力した制御データをプロセスデータの１つとしてＩ／Ｏインタフェース２０７ｂ、ＬＡＮ２０５を介して時系列的にデータ記憶のためにデータ処理装置２０３に送る。
【００３８】
ちなみに、監視制御コンソール部２０１ａの表示装置２１２Ａ〜２１２Ｃは、３台に限定されず、プラントの規模や監視すべきプロセスデータの数によって適宜変わるものである。
図３は、監視制御コンソール部２０１ａの表示装置２１２Ａ〜２１２Ｃに表示させる内容を例示したものであり、各表示装置２１２Ａ〜２１２Ｃに表示される内容は、キーボード２１３やマウス２１４からのメニュー選択で随時切り換え可能になっている。
各表示装置２１２Ａ〜２１２Ｃの画面には、系統図表示、プロセスデータのトレンド表示、警報ログ、オペレーションログのログ表示の一つを表示するように指定でき、更にそれらの表示の中から表示させるデータを選択表示させることができる。
【００３９】
表示装置２１２Ａ〜２１２Ｃの一つに対して、例えば、トレンド表示を選んで、更に主パラメータ表示を選ぶと、その表示装置の画面に要求出力電力、発電機出力、主蒸気流量、主蒸気温度、主蒸気圧力がトレンド曲線で線種（色）を変えて、横軸を時刻に、縦軸をパーセント表示で、所定の時間から、例えば、２時間前から現在にまで至る時間変化を表示する（図４の（ｄ）参照）。
【００４０】
図４の（ａ）〜（ｄ）は、監視制御コンソール部に画面表示されたデータ例であり、（ａ）は、タンクの水位制御の目標値の設定変更や、ポンプの回転速度の設定変更するオペレーションウインドを例示し、（ｂ）は、系統図を表示する系統図ウインドを例示し、（ｃ）は、警報ログを表示する警報ウインドを例示し、（ｄ）は、プロセスデータをトレンド表示するトレンドモニタウインドを例示している。
【００４１】
図４の（ｅ）〜（ｈ）は、データ処理装置の記憶装置に記憶される各データの書式をプリンタ印刷されたイメージで表示した例であり、（ｅ）は、オペレーションログのデータ記録書式を、（ｆ）は、補機動作ログのデータ記録書式を、（ｇ）は、警報ログのデータ書式を、（ｈ）は、プロセスデータのトレンドを時系列的に記憶するヒストリカルデータの記録書式を示す。
【００４２】
図４の（ｅ）〜（ｇ）に示すように、オペレーションログ、補機動作ログ、警報ログは、それらが発生した年月日時分秒の時刻情報を「年月日時分秒」と表示した欄に、オペレーションログ、補機動作ログ、警報ログ種類及びその種類の中での更に詳細なログの項目を示す識別記号をＴａｇの欄に、そして、「値」の欄には、オペレーションログの場合は操作指令の内容、例えば、ＯＮ，ＯＦＦの動作指令、ポンプ回転速度の設定値、タンクの目標水位の設定値等が、補機動作ログの場合は、ＯＮ，ＯＦＦの動作が、警報ログの場合は、警報のＯＮ（発生）、ＯＦＦ（回復）等が記録される。
【００４３】
図４の（ｈ）に示すヒストリカルデータは、一定周期で、例えば、１秒周期で時刻情報と記録対象の複数のプロセスデータがセットになって、記録される。
なお、プロセスデータの中でも、特定のプロセスデータについては、監視制御コンソール部２０１ａからのデータ処理装置２０３への入力操作による設定により、前記した一定周期の記録データとは別により高頻度で、例えば、１０ミリｓｅｃの周期でも重複して記録される。このような一部のプロセスデータの高速記録により、プロセスデータの時間変化率から事故や異常な動作時の原因究明に寄与できる。
ちなみに、このような高速の記録データについては、長い時間にわたるヒストリカルトレンドデータとして記憶装置２２１Ｂに保存することは、記憶容量的に無理なので、現時点から所定の時間遡った時間、例えば、２時間前から現時点までのものを記録し、それより古いヒストリカルトレンドデータは、上書きされて消去されるようになっている。
【００４４】
（事象データ関係付け情報）
次に、図５から図７を参照して適宜図１６を参照しながらコンソール制御部２１１Ｂの内部記憶装置に記憶される事象データ関係付け情報について説明する。
図５から図７は、事象データ関係付け情報を表の形で例示したものである。事象データ関係付け情報４００は、「制御系名称」の欄４０１に設定された制御系名称、例えば、図５には「タービン出力制御」と表示した制御系名称４０１Ａを、図６には「ボイラ出力制御」と表示した制御系名称４０１Ｂを、図７には「低圧ヒータレベル制御」と表示した制御系名称４０１Ｃを示すように、制御系名称毎に「関連するプロセスデータ及びログデータ」の欄４０２、「事象分析関係付け」の欄４０３が設けられている。
「関連するプロセスデータ及びログデータ」の欄４０２は、制御系名称４０１Ａ，４０１Ｂ，４０１Ｃ，・・・のそれぞれに対し、「関連するプロセスデータ」の欄４０２Ａ１、「関連するログデータ」の欄４０２Ａ２、「関連するプロセスデータ」の欄４０２Ｂ１、「関連するログデータ」の欄４０２Ｂ２、「関連するプロセスデータ」の欄４０２Ｃ１、「関連するログデータ」の欄４０２Ｃ２、・・・と、「属性」の欄４０５Ａ，４０５Ｂ，４０５Ｃ，・・・と、「優先度」の欄４０６Ａ，４０６Ｂ，４０６Ｃ，・・・から構成されている。
【００４５】
図７において制御系名称として低圧ヒータレベル制御４０１Ｃを例に取って具体的に説明すると、関連するプロセスデータとしては、低圧ヒータ水位調整器２５Ｅ（図１参照）の図示しない水位センサの信号である「低圧ヒータレベル」、低圧ヒータ水位調整弁２６Ｅ（図１参照）に設けられた図示しない開度位置センサの信号である「低圧ヒータ水位調節弁開度」、復水流量計４５の信号である「復水流量」、低圧ヒータ９の出口温度を計測する温度計４６の信号である「低圧ヒータ出口温度」がリストアップされている。
ここで関連するプロセスデータとは、図１６の（ａ）に示すように低圧ヒータレベル制御の制御ロジックにおいて入力及び出力となる低圧ヒータレベルや低圧ヒータ水位調節弁開度のみならず、低圧ヒータレベルの変動に影響する復水流量や低圧ヒータ出口温度も含まれる。
【００４６】
関連するログの種類としては、低圧ヒータ水位調整器２５Ｅの出力する「低圧ヒータレベル  高」及び「低圧ヒータレベル  極高」の警報、運転員の手動操作による「低圧ヒータレベル  操作指令」、低圧ヒータ水位調整器２５Ｅが低圧ヒータ水位調節弁２６Ｅを駆動制御するときの制御指令である「低圧ヒータ水位調節弁開閉指令」、低圧ヒータ水位調整器２５Ｅからの「低圧ヒータレベル  極高」の警報を制御装置２０７が受けて、図１６の（ｂ）に示す制御ロジックにしたがってタービン抽気弁２４Ｅ、抽気逆止弁３５Ｅを自動閉操作する補機動作ログの「タービン抽気弁閉指令」、「抽気逆止弁閉指令」、監視制御コンソール部２０１ａの表示装置２１２Ａ〜２１２Ｃのいずれかに警報音とともに表示された警報ログ「低圧ヒータレベル  極高」に応じて運転員が低圧ヒータバイパス弁３７を開操作する指令（オペレーションログ）「低圧ヒータバイパス弁」が含まれる。
【００４７】
ここで関連するログの種類とは、図１６の（ａ）に示す低圧ヒータレベル制御の補機動作のログ「低圧ヒータ水位調節弁開閉指令」、並びに図１６の（ｂ）に示す低圧ヒータレベル制御の警報に対する制御ロジックにおいて入力及び出力となる「低圧ヒータレベル  極高」や「タービン抽気弁閉指令」、「抽気逆止弁閉指令」のみならず、「低圧ヒータレベル  極高」の前段警報である「低圧ヒータレベル  高」、低圧ヒータレベルの変動に影響する手動操作指令「低圧ヒータバイパス弁開指令」も含まれる。
【００４８】
なお、ここでは事象データ関係付け情報の説明を分かり易くするために制御系名称４０１、「関連するプロセスデータ」の欄４０２Ａ１，４０２Ｂ１，４０２Ｃ１、「関連するログデータ」の欄４０２Ａ２，４０２Ｂ２，４０２Ｃ２を全て具体的な名称で説明したが、実際には事象データ関係付け情報を作成したり利用したりする操作者にとって分かり易くしたものであって、そのデータ名に対応して予め決められたデータ名識別符号がそれぞれのデータ名に宛がわれ、事象分析コンソール部２０１ｂにおいては、そのデータ名識別符号によって事象分析支援プログラムが動作する。
【００４９】
また、「関連するプロセスデータ及びログデータ」の欄４０２に含まれる「属性」の欄４０５Ａ，４０５Ｂ，４０５Ｃ，・・・は、関連するプロセスデータや関連するログデータが火力発電プラント１００のどの系統のデータを示すかを示し、この系統名称に対してもそれぞれ系統名識別符号が宛がわれている。
【００５０】
更に、「関連するプロセスデータ及びログデータ」の欄４０２に含まれる「優先度」の欄４０６Ａ，４０６Ｂ，４０６Ｃ，・・・は、関連するログデータを当該事象の分析のために事象分析支援画面に表示させるときに、ログデータの種類が多すぎて１画面に表示できないときに、表示優先度が低いとして表示を割愛する優先度を示す。
【００５１】
以上、制御系名称として低圧ヒータレベル制御４０１Ｃを例に取って説明したが、タービン出力制御、ボイラ出力制御等も同様である。
ちなみに、この事象データ関係付け情報の表においては、制御系名称毎に関連するプロセスデータ及び関連するログデータのデータ名をリストアップして、複数の制御系名称の間でプロセスデータやログデータが重複して記載されることを許している。
【００５２】
「事象分析関係付け」の欄４０３は、例えば、タービンランバック事象、タービントリップ事象、低圧ヒータレベル極高事象と、事象名称（事象の名称）を３つ例示したが、それに限定されない。そして、分析事象毎に欄分けし、事象分析を行うときに事象分析支援画面に表示させる対象の関連するプロセスデータ及びログデータにフラグを立てる（図５から図７では○でフラグが立っていることを示す）。ここで事象分析を行うときのためにフラグを立てて関係付けられたプロセスデータ及びログデータが請求項に記載の「事象関連データ」に対応する。
【００５３】
なお、分析事象の対象を増加させる必要が生じたり、過去の事故や異常動作の原因分析の結果、事象に関連するプロセスデータやログデータを追加したり、事象分析支援画面に表示させるフラグを追加で立てたり等、事象データ関係付け情報を編集して更新する必要が生じる。その場合、熟練の操作者又はプラント監視制御装置２００のソフトウェアの管理を担当している会社のエンジニアが事象分析コンソール部２０１ｂを操作して、コンソール制御部２１１Ｂの内蔵記憶装置に格納された事象データ関係付け情報を更新する。
その場合、前記したデータディレクトリを用いることにより、前記した系統名（図５から図７中の属性に対応）をキーワードにしてログデータやプロセスデータを容易に検索可能でありであり、具体的なデータの識別符号を容易に検索できる。
【００５４】
《事象分析支援の制御の流れ》
次に、図８から図１７を参照しながら操作者が事象分析コンソール部２０１ｂを用いて事象分析支援画面により事象分析する場合の事象分析支援の制御の流れについて説明する
図８、図９は、事象分析コンソール部２０１ｂにおいて事象分析を支援する画面表示等の制御の流れを示すフローチャートである。
図１０から図１７は、事象分析支援の制御の流れの中で表示装置に表示される画面例である。図１０は、事象分析メインメニュー画面を示し、図１１は、事象関連データの検索を警報ログ又は補機動作ログから行う場合の警報ログ／補機動作ログ検索画面を示し、図１２は、事象関連データの検索をトレンドデータから行う場合のトレンドデータ検索画面を示し、図１３は、特定された警報ログにおいて事象関連データの検索操作を説明する画面例を示し、図１４は、特定されたトレンドデータにおいて事象関連データの検索操作を説明する画面例を示し、図１５は、事象分析支援画面を説明する図を示し、図１６は、ロジック図の表示例を示し、（ａ）は、低圧ヒータレベルの制御ロジックを示し、（ｂ）は、低圧ヒータレベル極高の警報ロジックを示し、図１７は、追加データ選択画面を説明する図である。
【００５５】
通常、主蒸気流量が増加して、復水流量及び低圧タービン５Ｃからの抽気量が増加して低圧ヒータレベルが増加しても、図１６の（ａ）に示す制御ロジックに従い低圧ヒータ水位調整器２５Ｅ（図１参照）によって低圧ヒータ水位調節弁２６Ｅ（図１参照）の開度が調整されるので、低圧ヒータレベルは設定値の前後に留まる。逆に蒸気流量が減少して、復水流量及び低圧タービン５Ｃからの抽気量が減少して低圧ヒータレベルが減少しても、図１６の（ａ）に示す制御ロジックに従い低圧ヒータ水位調整器２５Ｅによって低圧ヒータ水位調節弁２６Ｅの開度が調整されるので、低圧ヒータレベルは設定値の前後に留まる。ところが、何らかのトラブルにより低圧ヒータレベルが高の警報レベルを超え、低圧ヒータ水位調整器２５Ｅから「低圧ヒータ高」の信号が出力され、続いて極高の警報レベルをも超え、低圧ヒータ水位調整器２５Ｅから「低圧ヒータ極高」の信号が出力されるとともに、低圧ヒータ水位調整器２５Ｅから「低圧ヒータ極高」の信号を受けた制御装置２０７が図１６の（ｂ）に示す警報ロジックにより、タービン抽気弁２４Ｅと抽気逆止弁３５Ｅとに対し、閉操作制御を行い、低圧タービン５Ｃからの蒸気抽気を止め、又、低圧ヒータ９の胴側から低圧タービン５Ｃへの逆流を防止する。
【００５６】
運転員は、警報音とともに監視制御コンソール部２０１ａの表示装置２１２Ａ〜２１２Ｃのいずれかで警報ログ画面に表示された「○○○○年○○月○○日△△時△△分××秒  低圧ヒータレベル  極高」と、補機動作ログ画面に表示された「○○○○年○○月○○日△△時△△分××秒  （低圧）タービン抽気弁  閉」及び「○○○○年○○月○○日△△時△△分××秒  （低圧タービン）抽気逆止弁  閉」を確認し、監視制御コンソール部２０１ａから手動操作による低圧ヒータバイパス弁３７の開操作をする。
この低圧ヒータバイパス弁３７の開操作によって、オペレーションログの表示画面には「○○○○年○○月○○日△△時□□分▽▽秒  低圧ヒータバイパス弁  開」が表示される。
【００５７】
このような異常事象が発生したのを受けて、プラントの運転監視業務を行う運転員とは別の運転員の一人が、事象分析コンソール部２０１ｂを操作して、事象分析を行う。
以後、事象分析を行う運転員を操作者と称する。以下、図８、図９のフローチャートに沿って説明する。
（事象分析民メニュー）
操作者は、事象分析コンソール部２０１ｂを操作して、事象分析支援プログラムを起動し、図１０に示すような事象分析メインメニュー画面３０１を表示させる（ステップＳ１１：事象分析メインメニュー画面表示）。
事象分析メインメニュー画面３０１は、「事象分析メインメニュー」と表示されたタイトル欄３０１ａと、選択操作のチェックマークを立てる操作欄３０１ｂから構成されている。操作欄３０１ｂには、「警報ログ／補機動作ログからスタート」と表示されたメニュー項目３１２と「トレンドデータからスタート」と表示されたメニュー項目３１４のそれぞれの左側にチェックマーク欄３１１，３１３が用意され、入力手段であるマウス２１４（図２参照）を操作してチェックマーク欄３１１，３１３にチェックマーク（レ点）を表示させて、前記した項目３１２，３１４の一方のみを選択できるようになっている。
ちなみに、事象分析メインメニュー画面３０１には終了ボタン３３１、次の画面に移行させる「次へ」と表示の操作ボタン３２７が用意されている。
【００５８】
ステップＳ１２では、警報ログ／補機動作ログ、又はトレンドデータのいずれからスタートをチェックする。「警報ログ／補機動作ログからスタート」の項目３１２が選択されて、「次へ」の操作ボタン３２７が押下された場合は、ステップＳ１３へ進み、「トレンドデータからスタート」の項目３１４が選択されて、「次へ」の操作ボタン３２７が押下された場合は、ステップＳ１７へ進む。
ステップＳ１３では、図１１に示すような警報ログ／補機動作ログ検索画面３０３が表示され、検索画面の入力を受付け（ステップＳ１４）、検索画面の入力が完了したかどうかをチェックする（ステップＳ１５）。入力が完了した場合（Ｙｅｓ）はステップＳ１６へ進み、入力が完了していない場合はステップＳ１４を続ける。
【００５９】
（警報ログ／補機動作ログ検索画面）
警報ログ／補機動作ログ検索画面３０３は、「警報ログ／補機動作ログ  検索」と表示されたタイトル欄３０３ａと、選択操作のチェックマークを立てたり、事象発生の大まかな時刻情報を入力したり、警報ログ／補機動作ログの種類の選択をしたりする操作欄３０３ｂから構成されている。操作欄３０３ｂには、「警報ログ」と表示されたメニュー項目３１６と「補機動作ログ」と表示されたメニュー項目３１８のそれぞれの左側にチェックマーク欄３１５，３１７が用意され、入力手段であるマウス２１４（図２参照）を操作してチェックマーク欄３１５，３１７にチェックマーク（レ点）を表示させて、前記した項目３１６，３１８の一方のみを選択できるようになっている。
【００６０】
更に、「日時検索」と表示されたメニュー項目３２０の左側にチェックマーク欄３１９が用意され、チェックマーク欄３１９にチェックマークを立て、選択されたログデータの内の更に表示させる開始時刻を設定して表示させる時間範囲を狭めるための年月日時分秒の時刻情報を入力欄３２１ａ，３２１ｂ，３２１ｃ，３２１ｄ，３２１ｅ，３２１ｆに入力可能になっている。
なお、この時刻情報の入力は、全ての欄に入力する必要は無く、大まかに大から小に向かって入力すれば、例えば、年月日時まで入力すれば、０分以降の範囲のログデータを表示する。
【００６１】
また、警報ログと補機動作ログのいずれかの選択と表示させる開始時刻情報のみでは、ログデータの目視検索が煩雑な場合も考えられるので、更に「系統検索」と表示されたメニュー項目３２３の左側にチェックマーク欄３２２が用意され、チェックマーク欄３２２にチェックマークを立て、選択されたログデータの内の具体的なログデータ名を特定できるように、系統名選択、詳細なログデータ名選択が可能になっている。
【００６２】
チェックマーク欄３２２にチェックマークを立て、「系統」と表示されたチェックマーク欄３２５にチェックマークを立てると、選択欄３０３ｃに予め登録された候補となる系統名が表示され、選択欄３０３ｃに表示された系統名の一つをマウス２１４でクリックして選択するとその選択された系統名が「系統」と表示された左側の欄３２４に表示される。その後、「詳細」と表示されたチェックマーク欄３２６にチェックマークを立てると、選択欄３０３ｃに先程選択された系統名に係る予め登録された候補となるログデータ名が表示され、選択欄３０３ｃに表示されたログデータ名の一つをマウス２１４でクリックして選択するとそのログデータ名の表示色が変化して選択状態になる。
【００６３】
最後に、「検索実行」と表示された操作ボタン３２８を押下すると、この画面における入力が完了したことを意味し、ステップＳ１６へ進み、操作ボタン３２８が押下されるまではステップＳ１４が続く。ステップＳ１６では、ログデータが表示される。
なお、「系統検索」の項目３２３のチェックマーク欄３２２にチェックマークを立てる必要は必ずしも無く、その場合には、警報ログ及び補機動作ログの内の選択された一方のログデータが、入力された表示開始時刻情報から現在の時刻まで全て表示され、その中から操作者が目視で検索することになる。
また、「系統検索」の項目３２３のチェックマーク欄３２２にチェックマークを立てても、必ずしも系統名及び詳細なログデータ名の選択までする必要は無く、詳細なログデータ名を選択しないで「検索実行」の操作ボタン３２８を押下すると、その場合には、警報ログ及び補機動作ログの内の選択された一方のログデータの中の選択された系統名に係るログデータが、入力された表示開始時刻情報から現在の時刻まで全て表示され、その中から操作者が目視で検索することになる。
ちなみに、符号３３３，３３４で示したボタンは選択欄３０３ｃをスクロールするスクロールボタンである。また、警報ログ／補機動作ログ検索画面３０３には終了ボタン３３１、前の画面（事象分析メインメニュー画面３０１）に移行させる「戻る」と表示の操作ボタン３３２が用意されている。
【００６４】
ステップＳ１２においてトレンドデータからの表示開始が選択された場合、ステップＳ１７に進み、図１２に示すようなトレンドデータ検索画面３０５が表示され、検索画面の入力を受付け（ステップＳ１８）、検索画面の入力が完了したかどうかをチェックする（ステップＳ１９）。入力が完了した場合（Ｙｅｓ）はステップＳ２０へ進み、入力が完了していない場合（Ｎｏ）はステップＳ１８を続ける。
【００６５】
（トレンドデータ検索画面）
トレンドデータ検索画面３０５は、「トレンドデータ  検索」と表示されたタイトル欄３０５ａと、選択操作のチェックマークを立てたり、事象発生の大まかな時刻情報を入力したり、プロセスデータの種類の選択をしたりする操作欄３０５ｂから構成されている。操作欄３０５ｂには、表示させる開始時間を設定して表示させる時間範囲を狭めるための年月日時分秒の時刻情報を入力欄３２１ａ，３２１ｂ，３２１ｃ，３２１ｄ，３２１ｅ，３２１ｆが入力可能に用意され、更に、「系統」と表示された項目の左側に欄３２４が、「系統」と表示された項目の右側にチェックマーク欄３２５と「詳細」と表示されたチェックマーク欄３２６が、そして、選択欄３０５ｃが用意され、チェックマーク欄３２５，３２６にチェックマークを立て、具体的なプロセスデータ名を特定できるように、系統名の選択、詳細なプロセスデータ名の選択が可能になっている。
【００６６】
チェックマーク欄３２５にチェックマークを立てると、選択欄３０５ｃに予め登録された候補となる系統名が表示され、選択欄３０５ｃに表示された系統名の一つをマウス２１４でクリックして選択するとその選択された系統名が「系統」と表示された左側の欄３２４に表示される。その後、「詳細」と表示されたチェックマーク欄３２６にチェックマークを立てると、選択欄３０５ｃに先程選択された系統名に係る予め登録された候補となるプロセスデータ名が表示され、選択欄３０５ｃに表示されたプロセスデータ名の一つをマウス２１４でクリックして選択するとそのプロセスデータ名の表示色が変化して選択状態になる。
なお、この時刻情報の入力は、全ての欄に入力する必要は無く、大まかに大から小に向かって入力すれば、例えば、年月日時まで入力すれば、０分以降の範囲のログデータを表示する。
【００６７】
最後に、「検索実行」と表示された操作ボタン３２８を押下すると、この画面における入力が完了したことを意味し、ステップＳ２０へ進み、操作ボタン３２８が押下されるまではステップＳ１８が続く。ステップＳ２０では、トレンドデータが表示される。
ちなみに、符号３３３，３３４で示したボタンは選択欄３０５ｃをスクロールするスクロールボタンである。また、トレンドデータ検索画面３０５には終了ボタン３３１、前の画面（事象分析メインメニュー画面３０１）に移行させる「戻る」と表示の操作ボタン３３２が用意されている。
【００６８】
次に、ステップＳ１６又はステップＳ２０からステップＳ２１へ進みキー時刻情報入力を受付け、キー時刻情報の入力が完了したか否かをチェックし（ステップＳ２２）、完了した場合（Ｙｅｓ）はステップＳ２３へ進み、完了していない場合（Ｎｏ）はステップＳ２１を続ける。ステップＳ２３では、分析事象候補選択を受付け、分析事象の選択が完了したか否かをチェックする（ステップＳ２４）。分析事象の選択が完了した場合（Ｙｅｓ）は、ステップＳ２５へ進み、完了していない場合（Ｎｏ）はステップＳ２３を続ける。
【００６９】
（警報ログ（低圧ヒータ系）画面）
次に、具体的にステップＳ２１からステップＳ２４について説明する。先ず、ステップＳ１６からステップＳ２１へ進んだ場合は、例えば、ステップＳ１４で警報ログのうちの低圧ヒータ系統の警報ログデータについて、指定された表示開始時刻情報から以後の検索を行った場合で例示すると、図１３に示すような警報ログ表示画面３０７が表示される。警報ログ表示画面３０７は、「警報ログ（低圧ヒータ系）」と表示されたタイトル表示欄３０７ａと、警報ログ表示欄３０７ｂから構成され、警報ログ表示欄３０７ｂにはスクロールボタン３３３，３３４、「次へ」と表示の操作ボタン３２９、前画面に戻るための「戻る」と表示の操作ボタン３３２が用意されている。
この警報ログ表示画面３０７の例では、時刻情報３４１Ａに発生した「低圧ヒータレベル  高」と表示の警報ログデータ名３４２Ａと、時刻情報３４１Ｂに発生した「低圧ヒータレベル  極高」と表示の警報ログデータ名３４２Ｂとが表示される。
【００７０】
ここで、操作者がマウス２１４を操作して、カーソルを警報ログデータ名３４２Ｂに当てた状態で左クリックすると警報ログデータ名３４２Ｂの背景色３４３が選択状態を示す色に変化し、この操作者の操作によりステップＳ２１，Ｓ２２におけるキー時刻情報として時刻情報３４１Ｂが入力されたことになる。次に、操作者がカーソルを警報ログデータ名３４２Ｂに当てた状態でマウス２１４を右クリックすると、分析事象候補表示ウインド３４４が開き、例えば、分析事象候補表示ウインド３４４に「分析事象候補」と表示されたウインド名３４４ａの下に、「低圧ヒータレベル  極高」と表示の事象候補名３４５Ａ、「低圧ヒータ抽気流量  高」と表示の事象候補名３４５Ｂ等が表示される。
操作者がカーソルを分析事象候補表示ウインド３４４内で移動させて、例えば、カーソルで指し示して事象候補名３４５Ａを選択した背景色３４４ｂの状態で右クリックして、「次へ」と表示の操作ボタン３２９を押下するとその事象候補名３４５ＡがステップＳ２３，Ｓ２４における分析事象として選択されたことになる。
操作ボタン３２９を押下する前なら、カーソルを移動させクリック操作を行うことにより、前の選択操作がキャンセルされ新たな操作が有効状態となり、警報ログデータ名の選択変更及びキー時刻情報の入力変更、分析事象の選択を変更することが可能である。
【００７１】
なお、警報ログ名毎に予め分析事象候補が登録されて、インデックスとしてコンソール制御部２１１Ｂの図示しない内蔵記憶装置に登録されており、警報ログデータ名毎に適切な分析事象が選択できるようになっている。分析事象候補表示ウインド３４４に表示された選択候補の中に操作者が意図する事象名称が含まれない場合は、別途事象名称選択候補を検索するウインドを開けて選択できるようにしても良い。
ちなみに、低圧ヒータレベルトレンド表示画面３０８には終了ボタン３３１も用意されている。
【００７２】
（低圧ヒータレベルトレンド表示画面）
次に、ステップＳ２０からステップＳ２１へ進んだ場合は、例えば、ステップＳ１８でプロセスデータのうちの低圧ヒータレベルについて、指定された表示開始時刻情報から以後の検索を行った場合で例示すると、図１４に示すような低圧ヒータレベルトレンド表示画面３０８が表示される。低圧ヒータレベルトレンド表示画面３０８は、「低圧ヒータレベルトレンド」と表示されたタイトル表示欄３０８ａと、トレンドデータをグラフの形で表示するトレンドデータ表示欄３０８ｂから構成される。図１４の例ではトレンドデータ表示欄３０８ｂには、横軸が時刻を示し縦軸が低圧ヒータレベルを示すグラフが表示される。トレンドデータ表示欄３０８ｂの時間軸の下には、スクロールボタン３３３，３３４が用意され、スクロールボタンを操作することによって、表示される時間範囲を左右へ移動できるようになっている。このグラフには、低圧ヒータレベルの自動制御の目標値が「レベル設定値」の表示で、レベル高警報設定値が「レベル高警報」の表示で、レベル極高警報設定値が「レベル極高警報」の表示で、マーカと、破線や一点鎖線等とともに表示されている。
【００７３】
また、低圧ヒータレベルトレンド表示画面３０８には、「次へ」と表示の操作ボタン３２９、前画面（トレンドデータ検索画面３０５）に戻るための「戻る」と表示の操作ボタン３３２が用意されている。
【００７４】
ここで、操作者がマウス２１４（図２参照）を操作して、カーソル３４７（矢印記号）の先端を低圧ヒータレベルトレンドデータの曲線３４８に当てた状態で左クリックすると、曲線３４８のカーソル３４７（矢印記号）の先端が当たっているデータポイントにドットマーク３４８ａが表示されて、そのデータポイントの時刻情報３４９がキー時刻情報としてドットマーク３４８ａの近くに表示される。この操作者の操作によりステップＳ２１，Ｓ２２におけるキー時刻情報として時刻情報３４９が入力されたことになる。
ちなみに、操作者がカーソル３４７の先端をドットマーク３４８ａに合わせて再度左クリックすると、ドットマーク３４８ａ及び時刻情報３４９の表示が消え、キー時刻情報の入力が取り消される。
【００７５】
キー時刻情報の入力が完了した後に、操作者がカーソルをドットマーク３４８ａに当てた状態でマウス２１４を右クリックすると、分析事象候補表示ウインド３５０が開き、例えば、分析事象候補表示ウインド３５０に「分析事象候補」と表示されたウインド名３５０ａの下に、「低圧ヒータレベル  極高」と表示の事象候補名３５１Ａ、「低圧ヒータ抽気流量  高」と表示の事象候補名３５１Ｂ等が表示される。
操作者がカーソル３４７を分析事象候補表示ウインド３５０内で移動させて、例えば、カーソル３４７で指し示して事象候補名３５１Ａを表示選択した背景色３５０ｂの状態で右クリックして、「次へ」と表示の操作ボタン３２９を押下するとその事象候補名３５１ＡがステップＳ２３，Ｓ２４における分析事象として選択されたことになる。
操作ボタン３２９を押下する前なら、カーソル３４７を移動させクリック操作を行うことにより、前の選択操作がキャンセルされ新たな操作が有効状態となり、時刻情報３４９及び分析事象の選択を変更することが可能である。
【００７６】
なお、プロセスデータ名毎に予め分析事象候補が登録されて、インデックスとしてコンソール制御部２１１Ｂの図示しない内蔵記憶装置に登録されており、プロセスデータ名毎に適切な分析事象が選択できるようになっている。分析事象候補表示ウインド３５０に表示された選択候補の中に操作者が意図する事象名称が含まれない場合は、別途事象名称選択候補を検索するウインドを開けて選択できるようにしても良い。
ちなみに、低圧ヒータレベルトレンド表示画面３０８には終了ボタン３３１も用意されている。
【００７７】
ステップＳ２４の後、符号（Ａ）に従って、ステップＳ２５に進み、選択された事象名称にもとづいて、事象データ関係付け情報４００のフラグ（図５〜図７の「事象分析関係付け」の欄４０３の○印でフラグを表示）を参照して関連するプロセスデータ及びログデータを検索する。そして、キー時刻情報にもとづいて、所定の時間範囲のステップＳ２５において検索されたプロセスデータ及びログデータを事象分析支援画面３０９に表示する（ステップＳ２６）。
【００７８】
（事象分析支援画面）
図１５に例示するように３０９は、「事象分析支援画面（低圧ヒータレベル極高  事象）」と表示されたタイトル表示欄３０９ａと、トレンドデータをグラフの形で表示するトレンドデータ表示欄３０９ｂと、分析対象の事象に関係するオペレーションログとして検索されたログデータの発生時刻を●印３５５で表示するための「操作履歴」表示の右側の操作履歴欄３０９ｃと、分析対象の事象に関係する補機動作ログとして検索されたログデータの発生時刻を●印３５６Ａ〜３５６Ｄで表示するための「補機動作」表示の右側の補機動作履歴欄３０９ｄと、分析対象の事象に関係する警報ログとして検索されたログデータの発生時刻を●印３５７Ａ，３５７Ｂで表示するための「警報」表示の右側の警報履歴欄３０９ｅと、各種の操作ボタンを配置表示した操作ボタン欄３０９ｆとから構成される。トレンドデータのグラフの時間軸とログデータの時間軸は共通であり、時間的相対関係が把握できるようになっている。
【００７９】
また、タイトル表示欄３０９ａには、終了ボタン３３１の他に表示するときの時間軸を伸縮させる時間軸操作ボタン３３６が用意されている。
通常、時間軸は、２時間分の表示画面で後はスクロールボタン３３３，３３４でデータを左右にずらすが、必要に応じて時間軸を伸縮させることができる。
時間軸操作ボタン３３６は、例えば、縮小ボタン３３６ａ、標準ボタン３３６ｂ、拡大ボタン３３６ｃの３つが用意されている。縮小ボタン３３６ａを押下すると縮小率を表示する小ウインドが一時的に表示され、カーソル３４７で指示して、適切な縮小率を左クリックで選択する。また、拡大ボタン３３６ｃを押下すると拡大率を表示する小ウインドが一時的に表示され、カーソル３４７で指示して、適切な拡大率を左クリックで選択する。
このように時間軸を拡大縮小すると、時間軸の左右中央に表示されている時刻を中心にして拡大縮小をする。
【００８０】
図１５の例ではトレンドデータ表示欄３０９ｂには、横軸が時刻を示し分析対象の事象に関係するプロセスデータとして検索された、（１）低圧ヒータ水位調節弁開度の時間推移を示す曲線３５３Ａ、（２）低圧ヒータレベルの時間推移を示す曲線３５３Ｂ、（３）復水流量の時間推移を示す曲線３５３Ｃ、（４）低圧ヒータ出口温度の時間推移を示す曲線３５３Ｄがグラフ表示される。そして、各曲線３５３Ａ〜３５３Ｄは表示色の変えた線種でそれぞれが表示され、各曲線３５３Ａ〜３５３Ｄが表わすプロセスデータ名を凡例ウインド３５４に線種と対応させて表示する。
【００８１】
なお、ここに表示されるプロセスデータの時間範囲は、ステップＳ２１，Ｓ２２で入力を受け付けたキー時刻情報にもとづくものであり、表示開始時刻は、キー時刻情報から第１の所定時間前、例えば、４時間前とし、表示終了時刻は、キー時刻情報から第２の所定時間経過後、例えば、１０分後とし、スクロールボタン３３３，３３４でその時間範囲を超えて表示時間帯を移動できる。このスクロールボタン３３３，３３４によりトレンドデータ表示の時間軸が移動するに合わせて、操作履歴欄３０９ｃ、補機動作履歴欄３０９ｄ、警報履歴欄３０９ｅの●印３５５，３５６Ａ〜３５６Ｄ，３５７Ａ，３５７Ｂも移動する。また、前記した時間軸操作ボタン３３６による時間軸の伸縮操作に対しても同様に操作履歴欄３０９ｃ、補機動作履歴欄３０９ｄ、警報履歴欄３０９ｅの●印は時間軸の伸縮に整合するように移動する。
【００８２】
操作履歴欄３０９ｃ、補機動作履歴欄３０９ｄ、警報履歴欄３０９ｅの●印３５５，３５６Ａ〜３５６Ｄ，３５７Ａ，３５７Ｂには、それぞれのログデータ名を示すログデータ名欄３５８Ａ〜３５８Ｇが用意され、ログデータ名欄３５８Ａ〜３５８Ｇが示す●印３５５，３５６Ａ〜３５６Ｄ，３５７Ａ，３５７Ｂを指し示す矢印３５９Ａ〜３５９Ｇ（図１５中、矢印３５９Ｇは矢印３５９Ｆと重なり、省略されている）が表示される。
また、操作履歴欄３０９ｃ、補機動作履歴欄３０９ｄ、警報履歴欄３０９ｅの右端には「詳細」と表示の操作ボタン３８１，３８２，３８３が用意されている。
【００８３】
図１５に示すように操作履歴欄３０９ｃ、補機動作履歴欄３０９ｄ、警報履歴欄３０９ｅには●印でログデータを表示することにより、分析対象の事象に関係するログデータを図４の（ｃ）に示すようなログ表示画面に文字で表示するよりも多くのログデータを表示できる。
図１５の例では、ログデータを１０件程度表示可能であるが、それ以上の表示はログデータ名欄が表示できないので、表示するログデータが１０件程度になるように間引いて表示する。そのため、図７の「優先度」の欄４０６Ｃに例示したように、優先度の数字の小さいものから優先的に間引きを行う。
操作ボタン３８１，３８２，３８３のいずれかを押下すると、押下された操作ボタン３８１，３８２，３８３に対応する操作履歴欄３０９ｃ、補機動作履歴欄３０９ｄ、警報履歴欄３０９ｅの詳細表示がなされ、その履歴欄だけがホップアップウインドの形で詳細にログデータ名欄から伸びる矢印で指し示された形で、間引きされたログデータ名に対応する●印も含めて表示される。図示しないホップアップウインドの終了ボタン３３１を押下することにより、詳細表示のホップアップウインドは閉じられる。
操作ボタン欄３０９ｆには、「ロジック再現」と表示のロッジク再現ボタン３８４と、「データ追加」と表示の操作ボタン３８５が用意されている。
【００８４】
ちなみに、図１５の事象分析支援画面３０９において、低圧ヒータ水位調節弁２６Ｅの「開」指令が●印３５６Ａの表示の時刻の後連続して「開」指令が継続し、●印３５６Ｂの「低圧ヒータ水位調節弁  全開」まで継続しているが、このような場合は、「開」指令が解除されるまでの間のログデータは表示において自動的に間引きするようにしている。
【００８５】
（ロジックの動作再現）
ところで、事象分析コンソール部２０１ｂのコンソール制御部２１１Ｂの内部記憶装置には制御ロジック図や警報ロジック図のテンプレートが格納されていることを前記したが、それを用いたロジックの動作再現について以下に説明する。
例えば、図１６の（ａ），（ｂ）に示す低圧ヒータレベル制御の制御ロジックのテンプレート３９１や、低圧ヒータレベル極高の警報の制御ロジックのテンプレート３９３は、ロジック図を表示するグラフィックデータのみならず、例えば、Ｊａｖａ（登録商標）のようなオブジェクト指向のプログラミング言語で書かれた表示プログラムを含む。この表示プログラムは制御ロジックで用いられる定数も有しており制御ロジックについて論理演算をすることができる。具体的には、制御ロジックの入力となるプロセスデータやログデータのデータ名の識別符号を制御ロジックの論理演算と対応付けて有しており、識別符号にもとづいて事象分析支援画面の３０９に表示されたプロセスデータやログデータとリンクして論理演算する。
【００８６】
このようなロジック制御の論理演算を再現するためのテンプレートが、予めコンソール制御部２１１Ｂの内蔵記憶装置にテンプレートの識別符号と、プロセスデータ名やログデータ名の識別符号と関係付けて格納されている。
【００８７】
この論理演算は以下のような手順でなされる。
（１）制御ロジックの入力となっているプロセスデータの曲線上のデータポイントをカーソル３４７で指示した状態でマウス２１４（図２参照）を左クリックして選択して、ドットマーク３５３ａを表示させるか、制御ロジックの入力となっている操作履歴欄３０９ｃ、補機動作履歴欄３０９ｄ、警報履歴欄３０９ｅの●印のログデータをカーソル３４７で指示した状態でマウス２１４を左クリックして●印を選択状態の色に変化させる。
（２）ロジック再現ボタン３８４を押下する。
そうすると、制御ロジック図が表示される。例えば、図１５に示すように低圧ヒータレベルを示す曲線３５３Ｂ上にドットマーク３５３ａを表示させた後、ロジック再現ボタン３８４を押下すると図１６の（ａ）の制御ロジックのテンプレート３９１が表示される。また、例えば、図１５に示す「低圧ヒータレベル極高」の警報ログに対応する●印３５７Ｂをカーソル３４７で指し示して左クリックで選択後、ロジック再現ボタン３８４を押下すると図１６の（ｂ）の制御ロジックのテンプレート３９３が表示される。
もし、（１）で選んだプロセスデータ又は●印のログデータが制御ロジックの入力で無い場合は、「該当する制御ロジックはありません。」とのメッセージを吹き出しウインドに一時表示する。
（３）制御ロジックのテンプレート３９１やテンプレート３９３の前記したオブジェクト指向言語の表示プログラムが動作し、ドットマーク３５３ａに対応する時点のプロセスデータ値又は●印３５７Ｂに対応する時点のログデータ値（ＯＮ又はＯＦＦ）が自動的に読み取られ、論理演算をし、その結果をテンプレート３９１やテンプレート３９３の出力側を表示させる。
【００８８】
ちなみに、制御ロジックの入力データが複数の場合は、一つの入力データが前記したように指定されれば、一つの入力データが指定されたときに時刻情報も取得できるので、他の入力データはその時刻情報におけるデータを事象分析支援画面３０９表示のために検索されている場合は、そこから取得し、事象分析支援画面３０９表示のために検索されていない場合は、前記したデータディレクトリにもとづいて、データ処理装置２０３から取得して論理演算をする。
【００８９】
例えば、テンプレート３９１の場合は、論理演算の結果、制御出力が水位を増加させる方向の場合は、出力側の矢印３９１ｂを点滅表示させて、低圧ヒータ水位調節弁２６Ｅの開度を閉じる方向の制御信号出力を示し、論理演算の結果、制御出力が水位を減少させる方向の場合は、矢印方向出力側の矢印３９１ｃを点滅表示させて、低圧ヒータ水位調節弁２６Ｅの開度を開く方向の制御信号出力を示す。
これによって、例えば、本実施形態において例示した低圧ヒータレベル極高事象では、低圧ヒータ水位調節弁開度の制御が正常に行われたことを事象分析支援画面３０９から確認できる。
【００９０】
例えば、テンプレート３９３の場合は、論理演算の結果、タービン抽気弁２４Ｅは閉、抽気逆止弁３５Ｅは閉となり、出力側の矢印３９３ａ，３９３ｂを点滅表示させて、タービン抽気弁閉及び抽気逆止弁閉の制御信号出力を示す。
【００９１】
このように、プロセスデータが異常に変動しているときに、制御ロジックがどのように動作しているかを容易に確認でき、プロセスデータの例えば、低圧ヒータ水位調節弁開度を示す曲線３５３Ａが何故変化しているのかを、操作者に理解し易く提示できる。
【００９２】
（追加データの選択）
再び、図９のフローチャートに戻って、事象分析支援画面３０９に追加データを表示させる手順について説明する。
ステップＳ２６に続いてステップＳ２７では、追加データボタン３８５が押下されたか否かチェックする。追加データボタン３８５が押下された場合は、ステップＳ２８へ進み、押下されなかった場合はステップＳ３２へ進む。
ステップＳ２６により事象分析支援画面３０９が表示されて、操作者が事象分析のために追加データが必要と判断した場合には、「データ追加」と表示の追加データボタン３８５（図１５参照）を押下する。
【００９３】
ステップＳ２８では、追加データ選択画面３１０を表示し、追加データ選択を受付（ステップＳ２９）、次いで、追加データの選択が完了したか否かをチェックする。完了した場合（Ｙｅｓ）は、ステップＳ３１へ進み、完了していない場合（Ｎｏ）は、ステップＳ２９を続ける。
ステップＳ３１では、事象分析支援画面３０９に追加データを追加表示し、ステップＳ２７に戻る。
【００９４】
ここで、図１７を参照しながら具体的に追加データ選択画面３１０における追加データの選択操作の方法について説明する。
前記した画面と同じ機能のアイコンボタンについては同じ符号を付し、重複する説明を省略する。
追加データ選択画面３１０は、「追加データ選択」と表示されたタイトル欄３１０ａと、選択操作をする操作欄３１０ｂから構成されている。操作欄３１０ｂには、「プロセスデータ」と表示した左側と、「ログデータ」と表示した左側とにチェックマーク欄３６１，３６２が配置され、その外にコンボボックス３６３、追加データ候補表示欄３６４、事象分析支援画面表示データ欄３６５，３６７、決定ボタン３３５が配置されている。
【００９５】
「プロセスデータ」と表示した左側と、「ログデータ」と表示した左側の、それぞれチェックマーク欄３６１，３６２は、チェックマークを立てることにより追加するデータがプロセスデータなのかログデータなのかを指定するものである。そして、プロセスデータやログデータがどの系統に係るデータであるか、つまり属性を指定するために「系統」と表示された項目の左側に配置されたコンボボックス３６３を用いる。コンボボックス３６３は、選択肢表示用ボタン３６３ａと入力表示欄３６３ｂから構成され、直接キーボード２１３（図２参照）を用いて操作者が系統名称を入力することもできるし、選択肢表示用ボタン３６３ａを押下して一時的に開く選択肢表示ウインドからマウス２１４（図２参照）を操作し選択して入力表示欄３６３ｂに表示させることもできる。
【００９６】
なお、追加データ選択画面３１０が表示されたときには、ステップＳ１２〜Ｓ２０の流れで、操作者が分析する対象の事象を選択する段階（図１３のログデータ又は図１４のプロセスデータを指定して事象を選択する段階）で用いたデータログ又はプロセスデータの属性（そのデータが係る系統名称）が、コンボボックス３６３の入力表示欄３６３ｂに自動的に表示される。ここでは、低圧ヒータ系が自動的に最初入力表示欄３６３ｂに自動表示される。
【００９７】
チェックマーク欄３６１，３６２により追加データがプロセスデータかログデータか指定され、コンボボックス３６３で系統が指定されると、追加データ候補欄３６４に追加データ候補が表示される。操作者は追加データ候補欄３６４の対象のデータをマーカで指示し左クリックするとそのデータが選択状態になり、プロセスデータの場合は、事象分析支援画面表示データ欄３６５に選択されたプロセスデータ名が、例えば、空白の破線枠で示したプロセスデータ名３６６Ｅとして追加され、ログデータの場合は、事象分析支援画面表示データ欄３６６に選択されたログデータ名が、例えば、空白の破線枠で示したログデータ名３６８Ｈとして追加される。このようなデータの追加は、複数可能である。
【００９８】
ちなみに、事象分析支援画面表示データ欄３６５，３６６の背景がドット表示のプロセスデータ名３６６Ａ，３６６Ｂ，３６６Ｃ，３６６Ｄ並びに３６８Ａ，３６８Ｂ，３６８Ｃ，３６８Ｄ，３６８Ｅ，３６８Ｆ，３６８Ｇは、既に事象分析支援画面３０９に表示済みのものであり、背景色を新しく選択されたデータ名と異ならせることで、追加データと表示済みデータを区別できるようにしている。
追加データの選択が終わって操作者が決定ボタン３３５を押下すると、ステップＳ３０における追加データの選択完了となって、再び事象分析支援画面３０９に戻り、追加データもこの画面に表示される。
【００９９】
ステップＳ２７においてＮｏでステップＳ３２に進むと事象分析支援画面３０９において終了ボタン３３１が押下されたか否かをチェックする。終了ボタン３３１が押下された場合は、一連の事象分析支援コンソール部２０１ｂにおける事象分析支援の制御が終了し、終了ボタン３３１が押下されない場合は、ステップＳ２７に戻る。
【０１００】
本実施形態のフローチャートにおけるステップＳ２１，Ｓ２２は、請求項に記載の「キー情報取得手段」に対応し、ステップＳ２３，Ｓ２４は、請求項に記載の「分析事象選択手段」に対応し、ステップＳ２５は、請求項に記載の「事象関連データ検索手段」に対応する。
【０１０１】
ここで例示した低圧ヒータレベル極高事象に対する事象分析支援画面３０９による表示によれば、操作員は、例えば、図１５に示すように曲線３５３Ｂの時間推移から、低圧タービン５Ｃからの抽気を止めても低圧ヒータ９の胴側の水位（ドレイン水位）が低下せず、増加したままである。そして、曲線３５３Ｃの復水流量が低圧ヒータ水位調節弁２６Ｅ（図１参照）の開度が増加するにつれて増加していることから、低圧ヒータ９の多数の細管から構成された加熱管の一部が破損してドレン側に復水が漏れ出して、昇圧復水ポンプ８Ｂに対する負荷（流動抵抗）が低下して復水流量が増加していることが予想される。
また、曲線３５３Ｄの時間推移から、運転員が低圧ヒータバイパス弁３７を開操作したので低圧ヒータ出口温度が低下していることが分かる。
【０１０２】
以上のように本実施形態によれば、事故や異常な事象が生じて、運転員の一人がその事象の原因を解明しようとして、異常を示している警報ログ、補機動作ログ、プロセスデータログから事象分析を、警報ロジック、補機動作ロジックを含むプラントの制御ロジックの詳細な知識や、監視表示用の計算機ソフトに対する詳細な知識や、過去の事故や異常動作時の事象における原因を考察した経験が少なくても、事象分析コンソール２０１ｂの助けにより、容易に行うことができる。特に、直接異常を示しているデータに対して、そのデータが係る系統のデータや、そのデータが関係する制御ロジックに係るデータが、予め登録された事象データ関係付け情報４００にもとづいて自動的に検索されるので事象分析に関係するデータを直接データディレクトリから検索して表示させたりする煩雑な作業が不要となり、迅速に関係するデータを表示できる。
【０１０３】
更に、操作者が自動的に表示されたデータの種類では不足と判断したときは追加データの表示も行えるので柔軟に事象分析のためのデータを表示できる。
【０１０４】
また、異常を示すログデータやプロセスデータから異常を示している時点のキー時刻情報を取得し、前記事象データ関係付け情報４００にもとづいて自動的に検索されたプロセスデータ、オペレーションログデータ、警報ログデータ、補機動作ログデータを、キー時刻情報にもとづいて所定の時間範囲のものを一つの画面に組み合わせて表示するので、データ間の時系列的な変化を検討して、異常な事象の原因を一つの画面で検討し易くなっている。
【０１０５】
また、事象分析支援画面３０９におけるトレンドデータとログデータの時間軸は共通のものを用いて、データ間の時系列的な相関を検討できるようにし、時間軸のスクロール操作、時間軸の伸縮操作にも同期して移動するようになっているので、事象の原因検討に都合が良い。
また、操作履歴欄３０９ｃ、補機動作履歴欄３０９ｄ、警報履歴欄３０９ｅのログデータの●印表示は予め事象データ関係付け情報４００により設定した間引き優先順位により、見やすくなるように前記３つの欄に１０個程度とするようにしているが、「詳細」表示の操作ボタン３８１，３８２，３８３で詳細に全て見ることもできるので、便利である。
【０１０６】
《変形例》
次に、本実施形態の変形例について説明する。
事象分析支援画面３０９にトレンドデータやログデータを表示するときに、前記した実施形態においてはキー時刻情報にもとづいて、所定の時間範囲（キー時刻情報より４時間前から、キー時刻情報の１０分経過後の時間範囲）を固定的に表示することとしたがそれに限定されるものではない。
【０１０７】
例えば、事象データ関係付け情報４００にもとづいて検索されたプロセスデータにおいて、キー時刻情報より４時間前までの間で、所定の単位時間、例えば、１分間に、所定量、例えば、その時点の制御目標値に対して、１０％以上変化の生じた時点を見つけて、その時点からキー時刻情報の１０分経過後までを表示する所定の時間範囲としても良い。
【０１０８】
更に、本実施形態ではデータディレクトリ利用して、図１０から図１２の検索用のメニュー画面を用いてトレンドデータを指定したりログデータを指定したり、図１３、図１４のような画面を用いて分析対象の事象名称を指定したり、図１７のような追加データ選択画面でデータの追加を行ったりしたが、データの指定方法はそれに限定されるものではない。例えば、図１で示した系統図を画面に表示させ、カーソルをその系統図の各部分に当てて左クリックすることによって、系統名称や、プロセスデータ名やログデータ名が表示されるようにし、更に、表示された系統名称や、プロセスデータ名やログデータ名を左クリックで選択状態にした状態で、右クリックして事象候補を表示させて分析対象の事象を指定するようにしても良い。
【図面の簡単な説明】
【０１０９】
【図１】火力発電プラントの主要系統図である。
【図２】本発明に係るプラント監視制御装置の構成図である。
【図３】監視制御コンソール部の表示装置に表示させる内容を例示したものである。
【図４】（ａ）〜（ｄ）は、監視制御コンソール部に画面表示されたデータ例であり、（ａ）は、タンクの水位制御の目標値の設定変更や、ポンプの回転速度の設定変更するオペレーションウインドを例示し、（ｂ）は、系統図を表示する系統図ウインドを例示し、（ｃ）は、警報ログを表示する警報ウインドを例示し、（ｄ）は、プロセスデータをトレンド表示するトレンドモニタウインドを例示し、（ｅ）〜（ｈ）は、データ処理装置の記憶装置に記憶される各データの書式をプリンタ印刷されたイメージで表示した例であり、（ｅ）は、オペレーションログのデータ記録書式を、（ｆ）は、補機動作ログのデータ記録書式を、（ｇ）は、警報ログのデータ書式を、（ｈ）は、プロセスデータのトレンドを時系列的に記憶するヒストリカルデータの記録書式を示す。
【図５】事象データ関係付け情報を表の形で例示したものである。
【図６】事象データ関係付け情報を表の形で例示したものである。
【図７】事象データ関係付け情報を表の形で例示したものである。
【図８】事象分析コンソール部において事象分析を支援する画面表示等の制御の流れを示すフローチャートである。
【図９】事象分析コンソール部において事象分析を支援する画面表示等の制御の流れを示すフローチャートである。
【図１０】事象分析メインメニュー画面を説明する図である。
【図１１】事象関連データの検索を警報ログ又は補機動作ログから行う場合の警報ログ／補機動作ログ検索画面を説明する図である。
【図１２】事象関連データの検索をトレンドデータから行う場合のトレンドデータ検索画面を説明する図である。
【図１３】特定された警報ログにおいて事象関連データの検索操作を説明する画面例である。
【図１４】特定されたトレンドデータにおいて事象関連データの検索操作を説明する画面例である。
【図１５】事象分析支援画面を説明する図である。
【図１６】ロジック図の表示例を示し図である。
【図１７】追加データ選択画面を説明する図である。
【符号の説明】
【０１１０】
１      ボイラ
２      蒸発器
３Ａ    １次過熱器
３Ｂ    ２次過熱器
３Ｃ    ３次過熱器
４      再熱器
５Ａ    高圧タービン
５Ｂ    中圧タービン
５Ｃ    低圧タービン
６      発電機
７      復水器
８Ａ    復水ポンプ
８Ｂ    昇圧復水ポンプ
９      低圧ヒータ
１０    脱気器
１０ａ  脱気器貯水タンク
１１    給水ポンプ
１２，１３，１４  高圧ヒータ
１５Ａ，１５Ｂ，１５Ｃ，１５Ｄ，１５Ｅ  タービン抽気管
１６    フラッシュタンク
１７    過熱器止弁
１８    フラッシュタンク入口弁
１９    過熱器通気弁
２０    フラッシュタンク蒸気熱回収弁
２１    フラッシュタンク蒸気止弁
２２    フラッシュタンク蒸気管
２３    給水ライン
２４Ａ，２４Ｂ，２４Ｃ，２４Ｄ，２４Ｅ  タービン抽気弁
２５Ａ，２５Ｂ，２５Ｃ  高圧ヒータ水位調整器
２５Ｅ  低圧ヒータ水位調整器
２６Ａ，２６Ｂ，２６Ｃ  高圧ヒータ水位調整弁
２６Ｅ  低圧ヒータ水位調整弁
２７Ａ，２７Ｂ，２７Ｃ，２７Ｅ  ドレン配管
２８    フラッシュタンク蒸気連通管
２９Ａ，２９Ｂ  圧力調整弁
３０Ａ，３０Ｂ  圧力調整器
３１Ａ，３１Ｂ，３１Ｃ  ベント管
３２    フラッシュタンクドレン弁
３３    タービン止弁
３４    バイパス配管
３５Ａ，３５Ｂ，３５Ｃ，３５Ｄ，３５Ｅ  抽気逆止弁
３７    低圧ヒータバイパス弁
３９    再熱蒸気止弁
４１    復水脱塩装置
４２    復水脱塩装置出口酸素注入ライン
４３    脱気器出口酸素注入ライン
４５    復水流量計
１００  火力発電プラント
１０４  バーナ
１０５Ａ，１０５Ｂ  蒸気供給ライン
１０６  圧力計
１０７，１０８，１０９  温度計
１１３  タービン加減弁
１１５  給水温度計
１１６  給水流量計
１１７  燃料供給ライン
１１８  空気供給ライン
１１９  燃料量調節弁
１２０  燃料流量計
１２１  空気量調節弁
２００  プラント監視制御装置
２０１  操作コンソール
２０１ａ  監視制御コンソール部
２０１ｂ  事象分析コンソール部
２０３  データ処理装置
２０５  ＬＡＮ
２０７  制御装置
２１１Ａ，２１１Ｂ  コンソール制御部
２１２Ａ，２１２Ｂ，２１２Ｃ，２１２Ｄ  表示装置
２２１Ａ，２２１Ｂ，２２１Ｃ，２２１Ｄ  記憶装置
２２３  制御演算処理部
２２４  プロセス入出力処理部
３０１  事象分析メインメニュー画面
３０３  補機動作ログ検索画面
３０５  トレンドデータ検索画面
３０７  警報ログ表示画面
３０８  低圧ヒータレベルトレンド表示画面
３０９ｃ  操作履歴欄
３０９ｄ  補機動作履歴欄
３０９ｅ  警報履歴欄
３１０  追加データ選択画面
４００  事象データ関係付け情報
５０１  プラント機器
【図１】
0004961390.tif 000002
【図２】
0004961390.tif 000003
【図３】
0004961390.tif 000004
【図４】
0004961390.tif 000005
【図５】
0004961390.tif 000006
【図６】
0004961390.tif 000007
【図７】
0004961390.tif 000008
【図８】
0004961390.tif 000009
【図９】
0004961390.tif 000010
【図１０】
0004961390.tif 000011
【図１１】
0004961390.tif 000012
【図１２】
0004961390.tif 000013
【図１３】
0004961390.tif 000014
【図１４】
0004961390.tif 000015
【図１５】
0004961390.tif 000016
【図１６】
0004961390.tif 000017
【図１７】
0004961390.tif 000018